(57)【要約】【課題】立体駐車場等の屋根を有する建造物において、防鳥ネットを具備しながらも消火機能を損なわずに所定区域に泡消火薬剤を放出して確実に消火可能な防鳥・消火機能付き建造物構造を提供すること。【解決手段】屋根を有する建造物内において床上の防火区域の略上方に設けられた網目構造を有する防鳥ネットと、前記防鳥ネットの上方に設けられた少なくとも１つの閉鎖型泡ヘッドと、前記閉鎖型泡ヘッドに泡消火薬剤を供給するための泡消火薬剤貯蔵槽と、を具備し、前記防鳥ネットが難燃性樹脂で構成されており、前記網目構造が略正方形の開口を有し前記開口の一辺が２０〜５０ｍｍであり、前記閉鎖型泡ヘッドから放出される前記泡消火薬剤の発泡倍率が５〜１０倍であり２５％還元時間が１分間以上であること、を特徴とする防鳥・消火機能付き建造物構造。【選択図】図１
2018184746.tif 000002
【特許請求の範囲】
【請求項１】
屋根を有する建造物内において床上の防火区域の略上方に設けられた網目構造を有する防鳥ネットと、
前記防鳥ネットの上方に設けられた少なくとも１つの閉鎖型泡ヘッドと、
前記閉鎖型泡ヘッドに泡消火薬剤を供給するための泡消火薬剤貯蔵槽と、
を具備し、
前記防鳥ネットが難燃性樹脂で構成されており、
前記網目構造が略正方形の開口を有し前記開口の一辺が２０〜５０ｍｍであり、
前記閉鎖型泡ヘッドから放出される前記泡消火薬剤の発泡倍率が５〜１０倍であり２５％還元時間が１分間以上であること、
を特徴とする防鳥・消火機能付き建造物構造。
【請求項２】
前記開口の一辺が２５〜４５ｍｍであること、
を特徴とする請求項１に記載の防鳥・消火機能付き建造物構造。
【請求項３】
前記難燃性樹脂がポリエチレン又はポリエステルで構成されていること、
を特徴とする請求項１又は２に記載の防鳥・消火機能付き建造物構造。
【発明の詳細な説明】
【技術分野】
【０００１】
本発明は、立体駐車場等の屋根を有する建造物において防鳥ネットを具備しながらも消火機能を損なわずに所定区域に泡消火薬剤を放出可能な防鳥・消火機能付き建造物構造に関する。
【背景技術】
【０００２】
従来から、立体駐車場等の屋根のある建造物においては、種々の泡消火設備が配置されており、かかる泡消火設備には、閉鎖型泡ヘッド又は開放型泡ヘッドが使用されている。
【０００３】
なかでも、閉鎖型泡ヘッドを使用した泡消火設備については、例えば特許文献１（特開２００１−５７３号公報）において、小流量の泡消火薬剤混合装置を用い、防火領域内において火災発生地点近傍で火災を感知する泡ヘッドのみから泡水溶液を放出する技術が開示されている。
【０００４】
なお、開放型泡ヘッドを使用した泡消火設備としては、例えば特許文献２（特開平７−２６５４５６号公報）において、大流量の泡消火薬剤混合装置を用い、火災発生時に一斉開放弁が起動しその防火区画に設置された全ての泡ヘッドから泡消火液を一斉に放出する技術が開示されている。
【０００５】
ここで、上記の開放型泡ヘッドが設置される機械式の立体駐車場等のように、自動車の入口となる開口部分が狭く限定されている建造物とは異なり、上記の閉鎖型泡ヘッドが設置される自走式の立体駐車場等のように、屋根を有しかつ外部に開放された空間を有する建造物では、鳩等の鳥が巣を造る等の鳥害を防止するために内部に防鳥ネットを設置することがある。
【先行技術文献】
【特許文献】
【０００６】
【特許文献１】特開２００１−５７３号公報
【特許文献２】特開平７−２６５４５６号公報
【発明の概要】
【発明が解決しようとする課題】
【０００７】
しかしながら、上記のように防鳥ネットを設置すると、上記の閉鎖型泡ヘッドから放出される泡消火薬剤が当該防鳥ネットを通過して床面に放出されるため、うまく発泡した状態で十分な消火機能を保持したまま床面まで届かず消火できないことがある。
【０００８】
そこで、本発明の目的は、立体駐車場等の屋根を有する建造物において、防鳥ネットを具備しながらも消火機能を損なわずに所定区域に泡消火薬剤を放出して確実に消火可能な防鳥・消火機能付き建造物構造を提供することにある。
【課題を解決するための手段】
【０００９】
上述した課題を解決すべく、本発明者らは、鋭意実験を繰り返して検討した結果、防鳥ネットを具備しながらも消火機能を損なわずに所定区域に泡消火薬剤を放出して確実に消火可能な防鳥・消火機能付き建造物構造を実現するためには、防鳥ネットとしての役割を持つ構造と閉鎖型泡ヘッドの発泡倍率を精密に制御することが有効であることを見出し、本発明を完成するに至った。
【００１０】
即ち、本発明は、
屋根を有する建造物内において床上の防火区域の略上方に設けられた網目構造を有する防鳥ネットと、
前記防鳥ネットの上方に設けられた少なくとも１つの閉鎖型泡ヘッドと、
前記閉鎖型泡ヘッドに泡消火薬剤を供給するための泡消火薬剤貯蔵槽と、
を具備し、
前記防鳥ネットが難燃性樹脂で構成されており、
前記網目構造が略正方形の開口を有し前記開口の一辺が２０〜５０ｍｍであり、
前記閉鎖型泡ヘッドから放出される前記泡消火薬剤の発泡倍率が５〜１０倍であり２５％還元時間が１分間以上（好ましくは１〜５分間）であること、
を特徴とする防鳥・消火機能付き建造物構造、
を提供する。
【００１１】
このような構成を有する本発明の防鳥・消火機能付き建造物構造によれば、立体駐車場等の屋根を有する建造物に適用した場合に、泡消火薬剤が発泡状態を維持したまま防鳥ネットを通過して消火機能を損なわずに防火領域に到達することができ、十分な防鳥・消火効果を得ることができる。
【００１２】
また、上記の本発明の防鳥・消火機能付き建造物構造においては、前記開口の一辺が２５〜４５ｍｍであること、が好ましい。
【００１３】
このような構成を有する本発明の防鳥・消火機能付き建造物構造によれば、立体駐車場等の屋根を有する建造物に適用した場合に、より確実に、泡消火薬剤が発泡状態を維持したまま防鳥ネットを通過して消火機能を損なわずに防火領域に到達することができるとともに、防鳥効果も担保でき、十分な防鳥・消火効果を得ることができる。
【００１４】
また、上記の本発明の防鳥・消火機能付き建造物構造においては、前記難燃性樹脂がポリエチレン又はポリエステルで構成されていること、が好ましい。
【００１５】
このような構成を有する本発明の防鳥・消火機能付き建造物構造によれば、防鳥ネットが難燃性であるため火災によって溶け落ちにくく、十分な消火・延焼効果を得ることができる。
【発明の効果】
【００１６】
本発明によれば、立体駐車場等の屋根を有する建造物において、防鳥ネットを具備しながらも消火機能を損なわずに所定区域に泡消火薬剤を放出して確実に消火可能な防鳥・消火機能付き建造物構造を実現できる。
【図面の簡単な説明】
【００１７】
【図１】閉鎖型泡ヘッドの平面図である。
【図２】図１に示す閉鎖型泡ヘッドの半欠截縦断正面図である。
【図３】図１に示す同閉鎖型泡ヘッドの側面図である。
【図４】本発明の防鳥・消火機能付き建造物構造の一実施形態に係る自走式の立体駐車場１００の概略図である。
【発明を実施するための形態】
【００１８】
以下、本発明の防鳥・消火機能付き建造物構造の代表的な実施形態について、図面を参照しつつ詳細に説明する。なお、本発明はこれら図面に限定されるものではない。また、図面は、本発明を概念的に説明するためのものであるから、理解容易のために、必要に応じて寸法、比又は数を誇張又は簡略化して表している場合もある。
【００１９】
図４に示すように、本発明の防鳥・消火機能付き建造物構造の一実施形態に係る自走式の立体駐車場１００は、自動車が駐車されている床上の防火領域（燃焼物があり火災が起こるであろうと想定され、消火の対象となる領域）の略上方に設けられた網目構造を有する防鳥ネット１０２と、防鳥ネット１０２の上方に設けられた少なくとも１つの閉鎖型泡ヘッド１０４（本実施形態では３つ）と、閉鎖型泡ヘッド１０４に泡消火薬剤を供給するための泡消火薬剤貯蔵槽（図示せず。）を含む泡消火設備と、を具備している。
【００２０】
（１）防鳥ネット１０２
本実施形態の立体駐車場１００が具備する防鳥ネット１０２は、略矩形（例えば正方形、長方形、又は平行四辺形（菱形）等）の開口を有する網目構造を有し、難燃性樹脂で構成されている。
【００２１】
この開口は、防鳥効果を得るためには小さくてもよいが、小さすぎると後述する閉鎖型泡ヘッド１０４から分散放射された泡消火薬剤の発泡状態が不良のまま防火領域に到達し、十分な消火機能を発現しないおそれがあるが、本発明者らは、前記網目構造が略正方形の開口を有し前記開口の一辺が２０〜５０ｍｍであれば、泡消火薬剤が消火機能を損なわない程度に発泡状態を維持して防火領域に到達することを実験により見出した。
【００２２】
また、本実施形態の立体駐車場においては、前記開口の一辺が２５〜４５ｍｍであること、より確実に、泡消火薬剤が発泡状態を維持したまま防鳥ネットを通過して消火機能を損なわずに防火領域に到達させることができ、防鳥効果も担保でき、十分な防鳥・消火効果を得ることができる。
【００２３】
かかる防鳥ネット１０２は難燃性樹脂で構成されている。この難燃性樹脂には本発明の効果を損なわない範囲で種々の樹脂を含む樹脂組成物を用いることができる。例えば、下記の熱可塑性樹脂を基材とする樹脂組成物を用いることができる。
【００２４】
・ポリオレフィン樹脂
例えば、ポリエチレン樹脂（例えば塩素化ポリエチレン）、ポリプロピレン樹脂、ポリ−１−ブテン樹脂、ポリ−４−メチル−１−ペンテン樹脂、ポリ−１−ヘキセン樹脂、ポリ−１−オクテン樹脂、及びポリ−１−デセン樹脂のうちの１種の樹脂又はこれらの２種以上の混合物（組成物）
【００２５】
・ビニル重合体樹脂
例えば、ポリスチレン、ポリ−α−メチルスチレン、ポリメチル（メタ）アクリレート樹脂（ＰＭＭＡ）、アクリロニトリル−ブタジエン−スチレン共重合体（ＡＢＳ樹脂）、アクリロニトリル−スチレン共重合体（ＡＳ樹脂）
【００２６】
・縮合重合型樹脂
例えば、ナイロン（ＮＹ）、熱可塑性ポリエステル（ＰＥＴ、ＰＢＴ等）、ポリカーボネート（ＰＣ）、熱可塑性ポリウレタン（ＰＵ）、ポリスルホン（ＰＳ）、ポリフェニレンエーテル（ＰＰＥ）
【００２７】
・熱可塑性エラストマー（ＴＰＥ又はＴＰＲ）
例えば、オレフィン系熱可塑性エラストマー及びスチレン系熱可塑性エラストマー等（例えば、１−オレフィン系熱可塑性結晶性樹脂（ＰＯ）とエチレン−プロピレン共重合体エラストマー（ＥＰＭ）との重合体組成物又は該重合体組成物の部分架橋物、１−オレフィン系熱可塑性結晶性樹脂（ＰＯ）とエチレン−プロピレン−非共役ジオレフィン共重合体エラストマー（ＥＰＤＭ）との重合体組成物又は該重合体組成物の部分架橋物
【００２８】
上記の難燃性樹脂を構成する樹脂組成物には、通常添加される各種の添加剤、例えば、難燃剤、難燃助剤、酸化防止剤、耐熱安定剤、紫外線防止剤、帯電防止剤、銅害防止剤、滑剤、中和剤（高級脂肪酸金属塩、例えば、ステアリン酸カルシウム、ステアリン酸亜鉛、金属酸化物・金属水酸化物複合塩、例えばハイドロタルサイト若しくはマナセアイト等）、造核剤又は顔料等を適宜併用することができる。
【００２９】
特に難燃剤及び難燃助剤としては、例えば、トリアジン環含有化合物、金属水酸化物、その他の無機リン系難燃剤、ハロゲン系難燃剤、シリコーン系難燃剤、リン酸エステル系難燃剤、縮合リン酸エステル系難燃剤、三酸化アンチモン等の酸化アンチモン系難燃助剤、その他の無機系難燃助剤、有機系難燃助剤等が挙げられる。
【００３０】
なかでも、防鳥ネット１０２が火災によって燃焼する際に生じる、塩素化ポリエチレンや含ハロゲンエラストマーとの難燃性への相乗効果の観点からは、酸化アンチモン系難燃助剤が好ましく、特に、三酸化アンチモンが好ましい。これらは単独で用いてもよく、２種以上を併用してもよい。
【００３１】
（２）閉鎖型泡ヘッド１０４
閉鎖型泡ヘッド１０４としては、従来公知のものを使用することができ、例えば上記特許文献１や特開２００１−３４０４８１号公報に開示されているような閉鎖型泡ヘッドを好適に用いることができる。
【００３２】
閉鎖型泡ヘッドの一例を図１〜図３を参照しながら説明する。図１は閉鎖型泡ヘッドの平面図であり、図２は同閉鎖型泡ヘッドの半欠截縦断正面図である。また、図３は同閉鎖型泡ヘッドの側面図である。
【００３３】
この閉鎖型泡ヘッドは、図２に示すように、ヘッド本体１、支持フレーム２、覆い壁３、弁４、火災感知部材５、及びデフレクタ６を具備している。ヘッド本体１は、泡消火液配管の管路（図示せず。）に接続される接続口部７と、先窄まり形状の噴射口８と、これら接続口部７と噴射口８とを連通させる内部通路９とを形成している。内部通路９には、泡消火液に旋回流を生じさせるためのスクリューなどからなる旋回流付与機構１０を組み込んでいる。
【００３４】
支持フレーム２は、図２及び３に示すように、ヘッド本体１の噴射口開口端面の外周部の対向二箇所から噴射口８の軸方向外方へ略平行に一体に延出された２本の縦腕部１１と、この縦腕部１１の各延出端部を中心に向けて略直角に屈曲連設した形の横腕部１２により概ね四角形枠状に形成し、横腕部１２同士が突合わされる中心部からボス部１３を外方へ一体に突設している。
【００３５】
図２に示すように、ヘッド本体１の噴射口８は弁４で閉じるが、この弁４は断面ハット形に形成されて噴射口８内にはめ込まれ、火災感知部材５で弁４の鍔部４ａを噴射口８の弁座に対し密着状に押し付けている。
【００３６】
火災感知部材５には、ガラス管の内部に熱によって膨脹するアルコール等の熱膨張液体を封入したグラスバルブが使用される。このグラスバルブは、閉鎖型泡ヘッドの周囲の温度が一定温度以上になると熱膨張液体が膨張して破壊するようになっている。火災感知部材５としては、グラスバルブに代えて、周知の低融点の合金部分を持つヒュージブルリンクを使用することもできる。
【００３７】
デフレクタ６は、図１に示すように、円板１８にスリット１９を放射状に列設してなり、このデフレクタ６は、噴射口８と対向するよう支持フレーム２のボス部１３に頭付ねじ２０で締付け固定される。
【００３８】
また、図２及び図３に示すように、覆い壁３は筒形状に形成し内周に雌ねじ２１を設けられており、支持フレーム２の縦腕部１１の各外面に設けた雄ねじ２２にねじ込むことにより、支持フレーム２の延出方向中間部に火災感知部材５の外周を所定間隔で覆うよう装着されている。
【００３９】
覆い壁３のヘッド本体側端とヘッド本体１との間には、噴射口８から放射される泡消火薬剤が取り込む空気を吸込み、かつ分解飛散する火災感知部材５の分解破片と弁４の外方へ飛散させるための第１開放口２３を形成する。また、覆い壁３のデフレクタ側端とデフレクタ６との間においては、分解飛散する火災感知部材５の破片と弁４の外方へ飛散させるための第２開放口２４が、第１開放口２３と連通するよう形成されている。
【００４０】
このような構成を有する閉鎖型泡ヘッドは、火災感知部材５により弁４が噴射口８の弁座８ａに押し付けられて噴射口８を閉止状態に保持している平常状態において、ヘッド本体１の接続口部７内にまで充満されている泡消火薬剤を弁４によってせき止めている。
【００４１】
火災が発生すると、一定の温度以上の火災熱が第１開放口２３又は第２開放口２４から覆い壁３内に入り、火災感知部材５が分解（破壊）され、その破片が第１開放口２３又は第２開放口２４から外部へ飛散して弁４に対する押し付け状態を解除する。
【００４２】
この解除に伴って弁４が泡消火薬剤の圧力によって第１開放口２３又は第２開放口２４から外部へ飛散し、噴射口８が開放される。泡消火薬剤は噴射口８から放射され、第１開放口２３から空気を取り込んで発泡し、デフレクタ６に衝突して周囲に分散する。この泡が燃焼物の表面を覆うことにより、窒息効果と泡を形成する水の冷却効果により油火災等の消火をも可能にするのである。
【００４３】
（３）泡消火設備
また、本実施形態の立体駐車場１００は、図示しないが、閉鎖型泡ヘッド１０４に泡消火薬剤を供給するための泡消火薬剤貯蔵槽を含む泡消火設備を具備しており、泡消火薬剤貯蔵槽に貯蔵されている泡消火薬剤を発泡させた状態で閉鎖型泡ヘッド１０４か防火領域に供給（分散放射）するものである。
【００４４】
かかる泡消火設備としては、従来の構成のものを使用することができ、上記の泡消火薬剤には、本発明の効果を損なわない範囲で種々の泡消火薬剤を使用することができるが、なかでも水成膜泡消火薬剤が好適に使用される。水成膜泡消火薬剤は、発泡すると油面に水成膜を生成して、優れた消火性能を発揮するものである。
【００４５】
かかる水成膜泡消火薬剤としては、種々の水成膜泡消火薬剤を使用することができるが、なかでも、合成界面活性剤を基材として、フッ素系界面活性剤が添加されたものであるのが好ましい。
【００４６】
ここで、閉鎖型泡ヘッド１０４から放出される泡消火薬剤の発泡倍率は、５倍以上であるのが好ましく、上限は１０倍程度であるのが好ましいことを、本発明者らは実験により見出した。なかでも、防鳥効果を担保できる網目サイズで且つ網目を通過し消火効果得るという理由から、５〜１０倍であるのが好ましい。
【００４７】
また、本実施形態の立体駐車場１００では、閉鎖型ヘッド１０４から下方に防鳥ネット１０２を経て防火領域に供給される泡消火薬剤の２５％還元時間が１分間以上（好ましくは１〜５分間）である。この２５％還元時間は、長いほど泡が壊れ難いため、火災の燃焼物等を長時間覆うことができ、消火に有利である。なお、この２５％還元時間とは、発泡前の泡消火薬剤の容量の２５％が泡から還元するために要する時間を意味している。
【００４８】
以上、本発明の一実施形態である立体駐車場１００について説明したが、本発明はこれらのみに限定されるものではなく、本発明の技術的思想を具備する限りは種々の設計変更が可能であり、かかる設計変更態様は全て本発明の技術的範囲に含まれる。また、本発明は、当然に、上記の本発明の防鳥・消火機能付き建造物構造における防鳥・消火（防火）方法にも関する。
【００４９】
即ち、本発明は、屋根を有する建造物内において、床上の防火区域の略上方に網目構造を有する防鳥ネットを設置し、前記防鳥ネットの上方に少なくとも１つの閉鎖型泡ヘッドを設置し、  前記閉鎖型泡ヘッドに泡消火薬剤を供給するための泡消火薬剤貯蔵槽を設置し、前記防鳥ネットが難燃性樹脂で構成されており、前記網目構造が略正方形の開口を有し前記開口の一辺が２０〜５０ｍｍであり、前記閉鎖型泡ヘッドから放出される前記泡消火薬剤の発泡倍率が５〜１０倍としかつ２５％還元時間を１分間以上（好ましくは１〜５分間）であること、を特徴とする防鳥・消火機能付き建造物構造を用いた防鳥・消火（防火）方法も提供する。
【実施例】
【００５０】
≪実験例１≫
図５に示すような構造の立体駐車場１００において、防鳥ネット１０２を設置したときに閉鎖型泡ヘッド（ＣＦヘッド）１０４の泡放射性能に影響があるか確認を行った。検証項目は分布性能、発泡倍率、２５％還元時間、感知／消火性能と防鳥効果を確認した。
ＣＦヘッド１０４としては、ヤマトプロテック（株）製のＹＦＨ−Ｃ３５Ｐを４つ使用し、取付け高さは床面（ＧＬ）から２８００ｍｍとした。また、放射圧力はヘッド仕様下限値である０．３５ＭＰａとした。
また、防鳥ネット１０２としては、（株）フジナガ製の「ＢＦ３バードネット２５（難燃性ポリエチレン製、網目２５ｍｍ×２５ｍｍ）と、これを参考にして網目の寸法を表１に示す寸法に変更して作製した各防鳥ネットを使用し、ＣＦヘッド１０４の下３００ｍｍの位置に設置した。
その他の試験条件／基準は「特定駐車場における必要とされる防火安全性能を有する消防の用に供する設備等に関する省令（平成２６年総務省令第２３号）」及び「特定駐車場用泡消火設備の設置及び維持に関する技術上の基準（平成２６年消防庁告示第５号）」に則った。結果を表１に示した。
【００５１】
【表１】
2018184746.tif 000003
【００５２】
なお、表１において、分布については、平均泡採集量（採取枡面積０．１ｍ２）が１分間当り１５０ｇ以上である場合を「○」、１分間当たり１５０ｇ未満である場合を「×」とした。発泡については、５倍以上である場合を「○」、５倍未満である場合を「×」とした。また、２５％還元時間については、１分間以上である場合を「○」、１分間未満である場合を「×」とした。これらを総合的に評価した。
【００５３】
表１に示す結果から、防鳥ネットの網目構造が略正方形の開口を有し前記開口の一辺が２０〜５０ｍｍであれば総合評価に優れており、更に、前記開口の一辺が２５〜４５ｍｍであれば総合評価に特に優れていることがわかる。
【符号の説明】
【００５４】
１００・・・立体駐車場、
１０２・・・防鳥ネット、
１０４・・・閉鎖型ヘッド、
１・・・ヘッド本体、
２・・・支持フレーム、
３・・・覆い壁、
４・・・弁、
５・・・火災感知部材、
６・・・デフレクタ、
７・・・接続口部、
８・・・噴射口、
９・・・内部通路、
１０・・・旋回流付与機構、
１４・・・支持部、
２３・・・第１開放口、
２４・・・第２開放口。
【図１】
2018184746.tif 000004
【図２】
2018184746.tif 000005
【図３】
2018184746.tif 000006
【図４】
2018184746.tif 000007